(57)【特許請求の範囲】
【請求項１】
留付部材により留め付けられた外壁材を取り外し、その取り外した外壁材を再び取り付ける外壁材の再利用方法であって、
外壁材を、留付部材により留め付けられたままの固定部と、留付部材を有さず、固定されていない非固定部とに切り離し、非固定部を取り外した後に、固定部を除去し、取り外した非固定部を留付部材により再び取り付けることを特徴とする外壁材の再利用方法。
【請求項２】
ホールソーで外壁材を固定部と非固定部とに切り離すことを特徴とする請求項１に記載の外壁材の再利用方法。
【請求項３】
留付部材の周囲近傍を環状に穿孔して、外壁材を固定部と非固定部とに切り離すことを特徴とする請求項１または２に記載の外壁材の再利用方法。
【発明の詳細な説明】
【０００１】
【発明の属する技術分野】
本発明は、建築物の壁下地に留め付けられたサイディングボードなどの外壁材を取り外し、その取り外した外壁材を再び取り付ける外壁材の再利用方法に関する。
【０００２】
【従来の技術】
近年、既存の建築物において、耐震性を向上させるために、補強部材を取り付けて建築物の構造部材を補強することがある。ところで、建築物の中には、壁下地に、釘などの留付部材によりサイディングボードなどの外壁材が留め付けられて意匠性を高めたものがあり、そのような建築物を補強する場合、外壁材を取り外さなければならない。
【０００３】
【発明が解決しようとする課題】
ところが、サイディングボードなどの外壁材は取り外すことを前提として留め付けられてはない。したがって、外壁材を取り外す場合には、破壊するか、あるいは、バール等を用いて外壁材を留め付けていた留付部材である釘を引き抜いて、取り外さなければならなかった。しかしながら、バール等で釘を引き抜いて取り外した場合には、外壁材に多数の傷が付き、意匠性が低下するので、取り外した外壁材を再利用することは困難であった。
また、図１１（ａ）に示すように、外壁材３１に打ち込まれていた釘３２を、さらに壁下地３３に向かって打ち込んで貫通させて、図１１（ｂ）に示すように、外壁材３１と釘３２とを分離し、外壁材３１を固定状態から解放して取り外すことも考えられる。しかしながら、この場合、外壁材３１の表面側の欠損は小さくできるものの、外壁材３１の裏面側は大きく欠損することがあった。外壁材３１の欠損が大きいと、その強度が低下するので、再利用は困難であった。
これらのように、従来では、取り外した外壁材３１を再利用できず、建築物を補強した後には、新品の外壁材を取り付けていたので、コストが高くなっていた。
本発明は、前記事情を鑑みてなされたものであり、取り外した外壁材を再利用できる外壁材の取り外し方法を提供することを目的とする。
【０００４】
【課題を解決するための手段】
本発明の外壁材の再利用方法は、留付部材により留め付けられた外壁材を取り外し、その取り外した外壁材を再び取り付ける外壁材の再利用方法であって、外壁材を、留付部材により留め付けられたままの固定部と、留付部材を有さず、固定されていない非固定部とに切り離し、非固定部を取り外した後に、固定部を除去することを特徴としている。
本発明の外壁材の再利用方法においては、外壁材を固定部と非固定部とに切り離す際には、ホールソーを使用することができる。
また、留付部材の周囲近傍を環状に穿孔して、固定部と非固定部とを切り離すことができる。
【０００５】
【発明の実施の形態】
本発明の外壁材の再利用方法の一実施形態例について、図１および図２を参照しながら説明する。この実施形態例の取り外し方法は、図１（ａ）および図２（ａ）に示すような、釘１（留付部材）により、壁下地２に留め付けられたサイディングボード３（外壁材）を取り外す方法である。
この方法では、図１（ｂ）および図２（ｂ）に示すように、釘１が円４の内側に位置するように、サイディングボード３を表面５から裏面６まで環状に切断して、釘１で留め付けられたままの固定部７と、釘１を有さず、固定されていない非固定部８とに切り離す。そして、図１（ｃ）および図２（ｃ）に示すように、非固定部８を壁下地２から引き離して取り外す。
次いで、図２（ｄ）に示すように、固定部を壁下地２から除去する。固定部の除去方法については、特に制限はなく、例えば、釘以外の部分を取り除いた後、釘１をバール等で抜き取ることで除去できる。
【０００６】
上述した方法では、固定部７と非固定部８とに切り離して、壁下地２からサイディングボード３の非固定部８を取り外し、その後、固定部を除去するので、取り外す際の欠損部分が小さい。また、非固定部８を取り外した後に、釘１をバール等で抜き取るので、取り外したサイディングボードの非固定部８は、表面が傷つけられたり破壊されたりしていない。その結果、取り外したサイディングボードの意匠性および強度の低下を小さいので、建築物の構造部材を補修した後に、取り外したサイディングボードの非固定部８を再利用できる。
【０００７】
サイディングボードを再利用して取り付ける場合には、図３（ａ）に示すように、取り外したサイディングボードの非固定部８を、他のサイディングボード９，９に嵌め合わせ、次いで、図３（ｂ）および図４に示すように、サイディングボードの非固定部８の表面から壁下地２に釘１０を打ち付けて、サイディングボードを留め付けるとともに、孔１１をシーリング１２などにより塞ぐ。ここで、釘１０を、最初に打ち付けられていた釘の位置とは別の位置に打ち込むことが好ましい。
このようにサイディングボードを再利用した場合の建築物の外観は、サイディングボードを取り外す前と殆ど変化がない。
【０００８】
上述した実施形態例の外壁材の取り外し方法において、サイディングボードを環状に切断する際には、切断手段として、ホールソーを用いることができる。ここで、ホールソーについて図５を参照しながら説明する。このホールソー１５は、螺旋状の溝が形成され、切断しようとする部分の中心を穿孔するセンターピン１６と、回転して環状に切削する回転切削刃１７と、回転切削刃１７の外径より大きい外径を有し、切削深さを規制する規制部１８と、回転切削刃１７を回転させる駆動部（図示せず）に連結させるためのチャック部１９とを有している。
ホールソー１５においては、刃先端から規制部１８までの長さであり、最大切削深さになる穿孔ストロークＬがサイディングボードの厚さと同じであることが好ましい。穿孔ストロークＬがサイディングボードの厚さと同じであると、壁下地を傷つけることを防止できる。
【０００９】
ホールソー１５の回転切削刃１７の内径は、意匠性の低下をより小さくするために、図６に示すように、釘の胴部２１の外径Ｄ1 を下限として、できるだけ小さい方が好ましい。回転切削刃１７の内径が釘の胴部２１の外径Ｄ1 を下限とされた場合には、ホールソーの回転切削刃１７の内径Ｄ2 が、釘頭部２２の外径Ｄ3 以下であることもある。
【００１０】
ホールソー１５を用いてサイディングボードを切断する際には、図７に示すように、釘１が回転切削刃１７の外径より内側に位置するようにセンターピン１６をサイディングボード３に押し当てる。次いで、駆動部（図示せず）により回転切削刃１７を回転させ、始めにセンターピン１６によりサイディングボード３を穿孔し、次いで、回転切削刃１７により環状に切削する。なお、この際、センターピン１６で釘１を切削することは困難であるから、センターピン１６を釘１に押し当てないようにする。
【００１１】
また、図８に示すように、回転切削刃１７を、サイディングボードを留め付けていた釘１の釘頭部２２に当てて、釘頭部２２の少なくとも一部を、ホールソー１５の回転切削刃１７によって削り取ることもできる。このように、ホールソー１５によって釘頭部２２を切削する場合には、ホールソー１５の回転切削刃１７の材質は、金属の切削が可能なものであることが好ましい。
釘頭部の一部を削り取る場合には、より内径の小さな回転切削刃を有するホールソーを使用することができる。したがって、非固定部の孔をさらに小さくできるので、再利用した際の意匠性をさらに向上させることができる。また、図９に示すように、釘頭部を完全に削り取った場合には、障害となるものがないので、固定部７において、釘１以外のサイディングボードの残存部分２３を引き抜くなどして容易に除去できる。
【００１２】
なお、上述した実施形態例においては、サイディングボードを環状に切断したが、本発明はこれに限定されず、例えば、断面矩形状に切断してもよい。
また、上述した実施形態例では、非固定部を取り外した後に、固定部の釘を除去したが、このように釘を除去しなくてもよい。すなわち、図２（ｃ）に示すように、サイディングボードを、固定部７と非固定部８とに分離した後、図１０（ａ）に示すように、固定部７の釘１をポンチ２４などにより壁下地２方向に打ち付けて固定部７を貫通させるとともに、固定部７のサイディングボードの残存部分２３を、破壊して除去することもできる。このようにした場合には、図１０（ｂ）に示すように、非固定部８を壁下地２から引き離す際に、障害物がないので、より容易に非固定部８を取り外すことができる。
【００１３】
【発明の効果】
本発明では、外壁材を、留付部材により留め付けられた固定部と、固定されていない非固定部とに切り離すので、取り外した際の外壁材の欠損部分が小さい。また、非固定部を取り外した後に、留付部材を取り除くので、取り外した外壁材の非固定部は、表面が傷つけられたり破壊されたりしていない。したがって、取り外した外壁材の意匠性および強度の低下を小さくできるので、建築物の構造部材を補修した後に、取り外した外壁材を再利用でき、コストを削減できる。
【図面の簡単な説明】
【図１】  本発明の外壁材の取り外し方法の一実施形態例を工程順に示す正面図である。
【図２】  本発明の外壁材の取り外し方法の一実施形態例を工程順に示す断面図である。
【図３】  取り外したサイディングボードを再利用する場合の留め付け方法の一例を工程順に示す断面図である。
【図４】  取り外したサイディングボードを留め付けたときの一例を示す正面図である。
【図５】  ホールソーの一例を示す側面図である。
【図６】  釘の外径とホールソーの回転切削刃の外径とを比較する要部側面図である。
【図７】  ホールソーによるサイディングボードの切断方法の一例を示す斜視図である。
【図８】  釘頭部をホールソーで削り取る場合のホールソーと釘とを示す図であって、壁下地側から見たときの図である。
【図９】  釘頭部を除去した固定部の例を示す斜視図である。
【図１０】  本発明の外壁材の取り外し方法の他の実施形態例を工程順に示す断面図である。
【図１１】  従来の外壁材の取り外し方法を示す断面図である。
【符号の説明】
１  釘（留付部材）
３  サイディングボード（外壁材）
７  固定部
８  非固定部
１２  ホールソー
【図１】
0004034116.tif 000002
【図２】
0004034116.tif 000003
【図３】
0004034116.tif 000004
【図４】
0004034116.tif 000005
【図５】
0004034116.tif 000006
【図６】
0004034116.tif 000007
【図７】
0004034116.tif 000008
【図８】
0004034116.tif 000009
【図９】
0004034116.tif 000010
【図１０】
0004034116.tif 000011
【図１１】
0004034116.tif 000012